(57)【要約】【課題】利得傾斜度を一定に保持できる自動パワー調節機能を有する光ファイバ増幅器を提供することにより、長距離の伝送またはＡＤＭを含んだネットワークでのチャンネル間のパワー差累積によるチャンネル別信号の品質差を最小化する。【解決手段】入力光信号を増幅する光増幅部３１０，３３０と、その増幅光信号の一部を分岐し、分岐信号から信号波長帯域に隣接した短波長帯域に属する第１検査用光と信号波長帯域に隣接した長波長帯域に属する第２検査用光とを検出するサンプリング部３００と、これら検査用光のパワー差によって光増幅部へ入力される光信号の入力パワーを調節する制御信号を出力する入力パワー調節回路４３０と、分岐光信号のパワーから光増幅部の出力パワーを導出し、その出力パワーが目標値となるように光増幅部を調節する出力パワー調節回路３９０と、入力パワー調節回路の制御信号に従い光増幅部へ入力される光信号のパワーを調節する可変減衰器３２０と、を備えてなる。【選択図】  図５
2004193604.tif 000002
【特許請求の範囲】
【請求項１】
入力された光信号を増幅するための光増幅部を備える光ファイバ増幅器の自動パワー調節方法において、
前記光増幅部によって増幅された光信号の一部を分岐し、該分岐光信号から、信号波長帯域に隣接した短波長帯域に属する第１検査用光と信号波長帯域に隣接した長波長帯域に属する第２検査用光とを検出するサンプリング過程と、
前記第１及び第２検査用光のパワーを比較し、そのパワー差を導出する比較過程と、
前記比較過程で導出されたパワー差に応じて前記光増幅部へ入力される光信号の入力パワーを調節する入力パワー調節過程と、 
前記サンプリング過程で分岐された前記分岐光信号のパワーから前記光増幅部の出力パワーを導出し、前記光増幅部の出力パワーが目標値を有するように前記光増幅部を調節する出力パワー調節過程と、を含むことを特徴とする自動パワー調節方法。
【請求項２】
入力パワー調節過程は、第１検査用光のパワーが第２検査用光のパワーより高い場合には光信号の入力パワーを高め、前記第２検査用光のパワーが前記第１検査用光のパワーより高い場合には光信号の入力パワーを低める過程である請求項１記載の自動パワー調節方法。
【請求項３】
第１及び第２検査用光のうちの少なくとも１つは、自然増幅放出光を含む請求項１記載の自動パワー調節方法。
【請求項４】
入力された光信号を増幅するための光増幅部と、
前記光増幅部によって増幅された光信号の一部を分岐し、該分岐光信号から、信号波長帯域に隣接した短波長帯域に属する第１検査用光と信号波長帯域に隣接した長波長帯域に属する第２検査用光とを検出するサンプリング部と、
前記第１及び第２検査用光のパワーを比較し、そのパワー差によって前記光増幅部へ入力される光信号の入力パワーを調節するための制御信号を出力する入力パワー調節回路と、
前記サンプリング部で分岐された前記分岐光信号のパワーから前記光増幅部の出力パワーを導出し、前記光増幅部の出力パワーが目標値を有するように前記光増幅部を調節する出力パワー調節回路と、
前記制御信号によって前記光増幅部へ入力される光信号のパワーを調節する可変減衰器と、を含むことを特徴とする自動パワー調節機能を有する光ファイバ増幅器。
【請求項５】
入力された光信号を増幅して可変減衰器へ出力するための補助光増幅部をさらに含む請求項４記載の光ファイバ増幅器。
【請求項６】
サンプリング部は、
光増幅部から入力された光信号の一部を分岐して出力するタップカプラーと、
前記分岐光信号から第１検査用光及び第２検査用光を抽出するための第１及び第２反射形格子と、
前記第１及び第２検査用光を相互分離するための波長分割多重結合器と、を含む請求項４記載の光ファイバ増幅器。
【請求項７】
サンプリング部は、第１乃至第３ポートを備え、タップカプラーから前記第１ポートを通じて入力された光信号は前記第２ポートを通じて出力し、前記第２ポートを通じて入力された第１及び第２検査用光は前記第３ポートを通じて出力するサーキュレータをさらに含む請求項６記載の自動パワー調節機能を有する光ファイバ増幅器。
【請求項８】
サンプリング部は、
第１及び第２反射形格子を通過した光信号を電気信号へ変換して出力パワー調節回路へ出力する第１光検出器と、
波長分割多重結合器によって分離された第１検査用光を電気信号へ変換して入力パワー調節回路へ出力する第２光検出器と、
前記波長分割多重結合器によって分離された第２検査用光を電気信号へ変換して前記入力パワー調節回路へ出力する第３光検出器と、をさらに含む請求項７記載の光ファイバ増幅器。
【請求項９】
第１及び第２検査用光のうちの少なくとも１つは、自然増幅放出光を含む請求項４記載の光ファイバ増幅器。
【請求項１０】
光増幅部は、エルビウム添加光ファイバを備えるエルビウム添加光ファイバ増幅器を含む請求項４記載の光ファイバ増幅器。
【請求項１１】
光増幅部は、エルビウム添加光ファイバをポンピングするためのポンピング光源をさらに含む請求項１０記載の光ファイバ増幅器。
【請求項１２】
光増幅部は、ポンピング光源から出力されたポンピング光をエルビウム添加光ファイバに結合するための波長分割多重結合器をさらに含む請求項１１記載の光ファイバ増幅器。
【請求項１３】
出力パワーの目標値は、光増幅部へ入力される光信号の入力パワーによっては変わらない請求項４記載の光ファイバ増幅器。
【発明の詳細な説明】
【技術分野】
【０００１】
本発明は、光通信ネットワークに関し、特に、光伝送路上に配置される光ファイバ増幅器に関する。
【背景技術】
【０００２】
光ファイバ増幅器(optical fiber amplifier)技術の発展で、信号伝送距離の増加及び光素子で発生した損失の補償について比較的広い波長帯域で均等に行えるようになり、波長分割多重(Wavelength Division Multiplexing；ＷＤＭ)伝送システム及びネットワークの拡散を加速させている。波長分割多重方式では、光信号が相互異なる波長の多数のチャンネルで構成される。既存の波長分割多重方式の光ファイバ増幅器は、各チャンネル別利得を一定に保持する自動利得調節(Automatic Gain Control；ＡＧＣ)光ファイバ増幅器と、入力チャンネルのパワーと無関係に出力パワーを一定に保持する自動出力パワー調節(Automatic Power Control；ＡＰＣ)光ファイバ増幅器とに分けることができる。自動利得調節機能を有する光ファイバ増幅器は、入力される光信号のパワー変化に対してチャンネル別利得が一定に保持されるが、チャンネル別出力パワーが変わる特性を示す。また、自動出力パワー調節機能を有する光ファイバ増幅器は、入力される光信号のパワー変化と無関係にその出力パワーを一定に保持するが、利得傾斜度を一定に保持することができない。利得傾斜度(gain tilt)が最小化された状態は、利得平坦化された(gain flattened)状態を示し、利得傾斜度が高いほどチャンネル間のパワー差が大きくなる。
【０００３】
図１は、従来技術による自動利得調節機能を有する光ファイバ増幅器の構成を示す。この光ファイバ増幅器は、第１タップカプラー１１０及び第２タップカプラー１３０と、第１光検出器１４０及び第２光検出器１５０と、光増幅部１２０と、利得調節回路１６０とから構成される。
【０００４】
第１タップカプラー１１０は第１乃至第３ポートを備え、第１ポートへ入力された光信号の一部を第２ポートへ出力し、該光信号の残りは第３ポートへ出力する。
【０００５】
第１光検出器１４０は、第１タップカプラー１１０の第３ポートを通じて入力された光信号を電気信号へ変換して出力する。フォトダイオード(photodiode；ＰＤ)を、第１光検出器１４０及び第２光検出器１５０として使用することができる。
【０００６】
光増幅部１２０は、入力された光信号を増幅して出力する。この光増幅部１２０は、エルビウムドーピング光ファイバ(erbium doped fiber；ＥＤＦ)と、該エルビウムドーピング光ファイバをポンピング（励起）するためのポンピング光源(pumping light source)と、該ポンピング光源から出力されたポンピング光をエルビウムドーピング光ファイバに結合させるための波長分割多重結合器(wavelength division mulitplexing coupler；ＷＤＭ coupler)とを含むエルビウム添加光ファイバ増幅器(erbium doped fiber amplifier；ＥＤＦＡ)から構成することができる。
【０００７】
第２タップカプラー１３０は第１乃至第３ポートを備え、第１ポートへ入力された光信号の一部を第２ポートへ出力し、該光信号の残りは第３ポートへ出力する。
【０００８】
第２光検出器１５０は、第２タップカプラーの第３ポートを通じて入力された光信号を電気信号へ変換して出力する。
【０００９】
利得調節回路１６０は、第１及び第２光検出器１４０，１５０から入力された電気信号のパワーを比較する。そして、光信号のチャンネル別利得が一定に保持されるように光増幅部１２０を調節する。
【００１０】
図２は、図１に示した光ファイバ増幅器が多数配置された光伝送路上での光信号のパワー変化を示す。当該光伝送路は多数の区間を含み、このような区間は、光ファイバ増幅器の配置地点Ｄ１，Ｄ２，Ｄ３，Ｄ４を基準に区分される。光信号は、光伝送路を進行しつつ各光ファイバ増幅器によって増幅された後、次の光ファイバ増幅器に到達するまで次第にそのパワーが減衰する。光ファイバ増幅器は、チャンネル別利得、例えば、(Ｐ１−Ｐ３)または(Ｐ２−Ｐ４)が一定に保持されるので、光伝送路で発生する伝送損失を一定に補償することができる。すなわち、光ファイバ増幅器によって増幅された光信号は、光伝送路を進行する間にそのパワーが徐々に減少するが、利得が光伝送路の損失と一致するように設定された光ファイバ増幅器を通過することで、元来の光信号パワーに復元され得る。しかし、光伝送路として使用される一般の光ファイバの性能は経時変化で徐々に低下し、各区間の伝送損失がだんだん増加する特性を示す。このような特性を有する光伝送路に利得が一定な光ファイバ増幅器を使用する場合、各光ファイバ増幅器へ入力される光信号は、光伝送路の劣化、一時的な光伝送路の障害などによって、伝送距離の増加につれて入力パワーがだんだん減少するようになり、このような現象によって、最終的な受信端に入力される光信号のパワーが当初設計値に比べて大幅に減少し、最終的には最小受信感度を下回ってエラー信号の多発を招くことになる。
【００１１】
図３は、従来技術による自動出力パワー調節機能を有する光ファイバ増幅器の構成を示す。この光ファイバ増幅器は、光増幅部２１０、タップカプラー２２０、光検出器２３０、及び出力パワー調節回路２４０で構成される。
【００１２】
図３において、入力された光信号を増幅して出力する光増幅部２１０は、エルビウムドーピング光ファイバと、該エルビウムドーピング光ファイバをポンピングするためのポンピング光源と、該ポンピング光源から出力されたポンプ光をエルビウムドーピング光ファイバに結合させるための波長分割多重結合器とを含む。
【００１３】
タップカプラー２２０は、第１乃至第３ポートを備え、第１ポートへ入力された光信号の一部を第２ポートへ出力し、該光信号の残りは、第３ポートへ出力する。
【００１４】
光検出器２３０は、タップカプラー２２０の第３ポートを通じて入力された光信号を電気信号へ変換して出力する。
【００１５】
出力パワー調節回路２４０は、光検出器２３０から入力された電気信号のパワーに従って、光増幅部２１０の出力パワーが目標値(desired value)を有するように光増幅部２１０を調節する。
【００１６】
図４は、図３に示した光ファイバ増幅器が多数配置された光伝送路上での光信号のパワー変化を示す。この光伝送路は、多数の区間を含み、このような区間は、光ファイバ増幅器の配置地点Ｄ５，Ｄ６，Ｄ７，Ｄ８を基準に区分される。光信号は、光伝送路を進行しつつ出力パワーＰ５が一定な各光ファイバ増幅器によって増幅された後、次の光ファイバ増幅器に到達するまでだんだんそのパワーが減衰する。例えば、地点Ｄ５に配置された光ファイバ増幅器に入力される光信号のパワーはＰ６であり、地点Ｄ８に配置された光ファイバ増幅器に入力される光信号のパワーはＰ７(Ｐ７＜Ｐ６)である。しかし、光ファイバ増幅器の出力パワーＰ５が固定されているので、各区間の伝送損失が光伝送路の劣化などによって変わっても、各光ファイバ増幅器で増幅された直後の光信号パワーＰ５は一定になる。光ファイバ増幅器は、入力される光信号のパワーに無関係に一定な出力パワーＰ５を作り出すので、光伝送路の性能低下または一定な区間の伝送損失の増加による光通信ネットワークの性能劣化を抑制することができる。しかし、この光ファイバ増幅器は、波長分割多重方式の光ファイバ増幅器が有する必須条件のうちの１つである一定な利得傾斜度を保持することができないので、広く採用されるには至っていない。このような利得傾斜度の変化は、光ファイバ増幅器が自動出力パワー調節機能を遂行する間に入力光信号のパワーが変わる場合に発生する。
【発明の開示】
【発明が解決しようとする課題】
【００１７】
従って、本発明の目的は、利得傾斜度を一定に保持できる自動パワー調節機能を有する光ファイバ増幅器を提供することにより、長距離の伝送またはＡＤＭ(Add Drop Multiplexer)を含んだネットワークでのチャンネル間のパワー差の累積によるチャンネル別信号の品質の差異を最小化することにある。
【課題を解決するための手段】
【００１８】
このような目的を達成するために、本発明によれば、入力された光信号を増幅するための光増幅部と、光増幅部によって増幅された光信号の一部を分岐し、該分岐光信号から、信号波長帯域に隣接した短波長帯域に属する第１検査用光と信号波長帯域に隣接した長波長帯域に属する第２検査用光とを検出するサンプリング部と、第１及び第２検査用光のパワーを比較し、そのパワー差によって光増幅部へ入力される光信号の入力パワーを調節するための制御信号を出力する入力パワー調節回路と、サンプリング部で分岐された分岐光信号のパワーから光増幅部の出力パワーを導出し、光増幅部の出力パワーが目標値を有するように光増幅部を調節する出力パワー調節回路と、入力パワー調節回路による制御信号によって光増幅部へ入力される光信号のパワーを調節する可変減衰器と、を含むことを特徴とした自動パワー調節機能を有する光ファイバ増幅器を提供する。
【００１９】
この光ファイバ増幅器は、入力された光信号を増幅して可変減衰器へ出力するための補助光増幅部をさらに含むことができる。
【００２０】
また、サンプリング部は、光増幅部から入力された光信号の一部を分岐して出力するタップカプラーと、その分岐光信号から第１検査用光及び第２検査用光を抽出するための第１及び第２反射形格子と、第１及び第２検査用光を相互分離するための波長分割多重結合器と、を含む構成とすることができる。この場合のサンプリング部は、第１乃至第３ポートを備え、タップカプラーから第１ポートを通じて入力された光信号は第２ポートを通じて出力し、第２ポートを通じて入力された第１及び第２検査用光は第３ポートを通じて出力するサーキュレータをさらに含むことができる。さらにサンプリング部は、第１及び第２反射形格子を通過した光信号を電気信号へ変換して出力パワー調節回路へ出力する第１光検出器と、波長分割多重結合器によって分離された第１検査用光を電気信号へ変換して入力パワー調節回路へ出力する第２光検出器と、波長分割多重結合器によって分離された第２検査用光を電気信号へ変換して入力パワー調節回路へ出力する第３光検出器と、を含むことができる。
【００２１】
その第１及び第２検査用光のうちの少なくとも１つは、自然増幅放出光を含むものとするとよい。また、出力パワーの目標値は、光増幅部へ入力される光信号の入力パワーによっては変わらない構成とする。
【００２２】
このような本発明によると、入力された光信号を増幅するための光増幅部を備える光ファイバ増幅器の自動パワー調節方法において、光増幅部によって増幅された光信号の一部を分岐し、該分岐光信号から、信号波長帯域に隣接した短波長帯域に属する第１検査用光と信号波長帯域に隣接した長波長帯域に属する第２検査用光とを検出するサンプリング過程と、その第１及び第２検査用光のパワーを比較し、そのパワー差を導出する比較過程と、この比較過程で導出されたパワー差に応じて光増幅部へ入力される光信号の入力パワーを調節する入力パワー調節過程と、 サンプリング過程で分岐された分岐光信号のパワーから光増幅部の出力パワーを導出し、光増幅部の出力パワーが目標値を有するように光増幅部を調節する出力パワー調節過程と、を含むことを特徴とする自動パワー調節方法が提案される。
【００２３】
その入力パワー調節過程は、第１検査用光のパワーが第２検査用光のパワーより高い場合には光信号の入力パワーを高め、第２検査用光のパワーが第１検査用光のパワーより高い場合には光信号の入力パワーを低める過程とすることができる。また、第１及び第２検査用光のうちの少なくとも１つは自然増幅放出光を含むものとするとよい。
【発明の効果】
【００２４】
本発明による自動パワー調節機能を有する光ファイバ増幅器及びその自動パワー調節方法は、増幅された光信号の利得傾斜度を監視して調節することができる。パワーが不均一な信号が入力されても、外部から提供される光信号の各チャンネルの利得を自動的に平坦化し、一定な出力パワーを保持させることができる。
【００２５】
また、本発明による自動パワー調節機能を有する光ファイバ増幅器及びその自動パワー調節方法は、区間別損失特性が大きい光ファイバを伝送路に含んだ長距離光伝送ネットワークまたはＡＤＭを含んだＡＤＭネットワークで使用されることにより、チャンネルによる伝送特性の差異を減少させることができる。
【発明を実施するための最良の形態】
【００２６】
以下、本発明の好適な実施形態について添付図を参照しつつ詳細に説明する。下記説明において、本発明の要旨のみを明瞭するために公知の機能又は構成に対する詳細な説明は省略する。
【００２７】
図５は、本発明の自動パワー調節機能を有する光ファイバ増幅器の好適な構成例を示し、図６は、図５に示した光ファイバ増幅器の動作特性を説明するグラフである。まず、図５を参照すると、本例の光ファイバ増幅器は、第１光増幅部３１０、第２光増幅部３３０、可変減衰器(variable optical attenuator)３２０、サンプリング部３００、入力パワー調節回路４３０、及び出力パワー調節回路３９０を含む。
【００２８】
第１光増幅部３１０は入力された光信号を増幅して出力する。この第１光増幅部３１０は、エルビウムドーピング光ファイバと、該エルビウムドーピング光ファイバをポンピングするためのポンピング光源と、該ポンピング光源から出力されたポンプ光をエルビウムドーピング光ファイバに結合させるための波長分割多重結合器とを含むことができる。
【００２９】
可変減衰器３２０は、制御信号によって光減衰の程度を調節することによって第２光増幅部３３０へ入力される光信号のパワーを調節する。
【００３０】
可変減衰器３２０から入力された光信号を増幅して出力する第２光増幅部３３０は、エルビウムドーピング光ファイバと、該エルビウムドーピング光ファイバをポンピングするためのポンピング光源と、該ポンピング光源から出力されたポンプ光をエルビウムドーピング光ファイバに結合させるための波長分割多重結合器とを含むことができる。
【００３１】
サンプリング部３００は、第２光増幅部３３０によって増幅された光信号の一部を分岐し、その分岐光信号から、信号波長帯域５１０に隣接した短波長帯域５２０に属する第１検査用光と、信号波長帯域５１０に隣接した長波長帯域５３０に属する第２検査用光とを検出する機能を遂行する（図６参照）。このサンプリング部３００は、タップカプラー３４０、サーキュレータ(circulator；ＣＩＲ)３５０、第１反射形格子３６０、第２反射形格子３７０、第１光検出器３８０、第２光検出器４１０、第３光検出器４２０、及び波長分割多重結合器４００を含む。
【００３２】
タップカプラー３４０は、第１乃至第３ポートを備える。第２光増幅部３３０から第１ポートを通じて入力された光信号の一部は第３ポートを通じて出力され、該光信号の残りは、第２ポートを通じて出力される。
【００３３】
サーキュレータ３５０は、第１乃至第３ポートを備える。タップカプラー３４０から第１ポートを通じて入力された光信号は第２ポートを通じて出力され、第２ポートを通じて入力された光は第３ポートを通じて出力される。
【００３４】
第１反射形格子３６０は、サーキュレータ３５０から入力された光信号のうち、予め設定された波長の第１検査用光を反射させる。光ファイバブラグ格子(fiber Bragg grating；ＦＢＧ)を、これら第１反射形格子３６０及び第２反射形格子３７０として使用することができる。図６に示したように、第１検査用光は、信号波長帯域５１０に隣接した短波長帯域５２０に属する。また、第２反射形格子３７０は、第１反射型格子３６０から入力された光信号のうち、予め設定された波長の第２検査用光を反射させる。図６に示したように、第２検査用光は、信号波長帯域５１０に隣接した長波長帯域５３０に属する。第１反射形格子３６０及び第２反射形格子３７０で反射した第１及び第２検査用光は、サーキュレータ３５０へ再び入射する。これら第１及び第２検査用光は、第２光増幅部３３０から出力される自然増幅放出光(amplified spontaneous emission；ＡＳＥ)からなり、この自然増幅放出光は、第２光増幅部３３０の利得傾斜度の情報を示す。すなわち、自然増幅放出光の長波長でのパワーが短波長でのパワーより大きい場合、光信号のパワーは目標値より大きい。逆に、自然増幅放出光の長波長でのパワーが短波長でのパワーより小さい場合、光信号のパワーは目標値より小さい。
【００３５】
第１光検出器３８０は、第１反射形格子３７０から入力された光信号を電気信号へ変換して出力する。フォトダイオードを、第１光検出器３８０、第２光検出器４１０、及び第３光検出器４２０として使用することができる。
【００３６】
出力パワー調節回路３９０は、第１光検出器３８０から入力された電気信号のパワーから第２光増幅部３３０の出力パワーを導出し、第２光増幅部３３０の出力パワーが目標値を有するように第２光増幅部３３０を調節する。
【００３７】
波長分割多重結合器４００は第１乃至第３ポートを備え、サーキュレータ３５０から第１ポートを通じて入力された第１検査用光を第２ポートを通じて出力し、サーキュレータ３５０から第１ポートを通じて入力された第２検査用光を第３ポートを通じて出力する。
【００３８】
第２光検出器４１０は、波長分割多重結合器４００の第２ポートに連結され、入力された第１検査用光を電気信号へ変換して出力する。
【００３９】
第３光検出器４２０は、波長分割多重結合器４００の第３ポートに連結され、入力された第２検査用光を電気信号へ変換して出力する。
【００４０】
入力パワー調節回路４３０は、第２光検出器４１０及び第３光検出器４２０から入力された電気信号のパワーを比較し、そのパワー差によって第２光増幅部３３０へ入力される光信号の入力パワーを調節するための制御信号を出力する。当該制御信号は、第２光増幅部３３０の利得傾斜度を最小化するために可変減衰器３２０へ提供され、可変減衰器３２０は、その制御信号に従って光減衰の程度を調節するようになる。短波長帯域５２０に属する第１検査用光のパワーが第２検査用光のパワーより大きい場合、光信号のパワーは目標値より大きい。逆に、長波長帯域５３０に属する第２検査用光のパワーが第１検査用光のパワーより大きい場合、光信号のパワーは目標値より小さい。従って、第１検査用光のパワーが第２検査用光のパワーより高い場合に可変減衰器３２０の光減衰度を高め、第２検査用光のパワーが第１検査用光のパワーより高い場合に可変減衰器３２０の光減衰度を低めることにより、第２光増幅部３３０の利得傾斜度を最小化する。
【００４１】
図７は、図５に示した光ファイバ増幅器の自動パワー調節過程を示すフローチャートである。この自動パワー調節過程は、サンプリング過程６１０、比較過程６２０、及びパワー調節過程６３０で構成される。
【００４２】
サンプリング過程６１０は、第２光増幅部３３０によって増幅された光信号の一部を分岐し、該分岐光信号から、信号波長帯域５１０に隣接した短波長帯域５２０に属する第１検査用光と、信号波長帯域５１０に隣接した長波長帯域５３０に属する第２検査用光とを検出する。
【００４３】
比較過程６２０は、第１及び第２検査用光のパワーを比較し、そのパワー差を導出する。
【００４４】
パワー調節過程６３０は、比較過程６２０で導出されたパワー差に応じて、第２光増幅部３３０へ入力される光信号の入力パワーを調節する入力パワー調節過程６４０と、サンプリング過程６１０で検出された分岐光信号のパワーから第２光増幅部３３０の出力パワーを導出し、第２光増幅部３３０の出力パワーが目標値を有するように第２光増幅部３３０を調節する出力パワー調節過程６５０を含む。入力パワー調節過程６４０においては、第１検査用光のパワーが第２検査用光のパワーより高い場合は光信号の入力パワーを高め、第２検査用光のパワーが第１検査用光のパワーより高い場合は光信号の入力パワーを低める。
【００４５】
以上、具体的な実施形態により本発明の詳細について説明してきたが、本発明の範囲を逸脱しない限り、各種の変形が可能なのは明らかである。従って、本発明の範囲は、上記実施形態に限られるものではなく、特許請求の範囲のみならず、その範囲と均等なものにより定められるべきである。
【図面の簡単な説明】
【００４６】
【図１】従来技術による自動利得調節機能を有する光ファイバ増幅器の構成を示す図。
【図２】図１に示した光ファイバ増幅器が多数配置された光伝送路上での光信号のパワー変化を示す図で、縦軸にパワー(POWER)、横軸に伝送距離(TRANSMISSION DISTANCE)をとったグラフ。
【図３】従来技術による自動出力パワー調節機能を有する光ファイバ増幅器の構成を示す図。
【図４】図３に示した光ファイバ増幅器が多数配置された光伝送路上での光信号のパワー変化を示す図で、縦軸にパワー、横軸に伝送距離をとったグラフ。
【図５】本発明による自動パワー調節機能を有する光ファイバ増幅器の構成例を示す図である。
【図６】図５に示した光ファイバ増幅器の動作を説明するための図で、縦軸にパワー、横軸に波長(WAVELENGTH)をとったグラフ。
【図７】本発明に係る自動パワー調節過程を示すフローチャートである。
【符号の説明】
【００４７】
３００  サンプリング部
３１０，３３０  光増幅部
３２０  可変減衰器
３４０  タップカプラー
３５０  サーキュレータ
３６０，３７０  反射形格子
３８０，４１０，４２０  光検出器
３９０  出力パワー調節回路
４００  波長分割多重結合器（ＷＤＭcoupler）
４３０  入力パワー調節回路
【図１】
2004193604.tif 000003
【図２】
2004193604.tif 000004
【図３】
2004193604.tif 000005
【図４】
2004193604.tif 000006
【図５】
2004193604.tif 000007
【図６】
2004193604.tif 000008
【図７】
2004193604.tif 000009